(57)【特許請求の範囲】
【請求項１】
内部導体と、該内部導体を被覆する絶縁体と、該絶縁体を被覆する編組からなる外部導体と、該外部導体を被覆するシースとから構成される複数本の同軸ケーブルが、接続部材を用いて筐体に支持固定され、一方の同軸ケーブルから送られてきた電気信号を他方の同軸ケーブルへ分岐あるいは分配する回路基板が前記筐体の内部に収容され、前記同軸ケーブルの内部導体と回路基板とがコネクタを介さず直接電気的に接続されている同軸ケーブル用分岐器・分配器において、
前記接続部材は、導電性の材質からなり、前記同軸ケーブルの外部導体と電気的に接続するための薄肉部と、前記筐体の壁面と当接する鍔部と、前記回路基板のアースと電気的に接続するための突起とを有しており、前記同軸ケーブルの外部導体の端部が前記薄肉部の外周を覆い被し、圧着スリーブが前記薄肉部と連係して前記外部導体を固定すると共に、前記同軸ケーブルの内部導体と絶縁体とが前記接続部材の内部を貫通する構造を有する接続子であることを特徴とする同軸ケーブル用分岐器・分配器。
【発明の詳細な説明】
【０００１】
【発明の属する技術分野】
本発明は、同軸ケーブルから送られてきた電気信号を分岐あるいは分配して他の同軸ケーブルへ伝送させる同軸ケーブル用分岐器・分配器に関する。
【０００２】
【従来の技術】
アンテナからミキサー、ブースター等へ、また、ミキサー、ブースター等からテレビ、ラジオ等へ電気信号を伝送するために同軸ケーブルが一般的に用いられている。オフィスビル、マンション、集合住宅等の高層ビルにおいては、共有アンテナを設置する場合が多く、共有アンテナからの電気信号を各階、各部屋へ分配供給するために同軸ケーブルを分岐させる必要があり、そのために、同軸ケーブル用分岐器・分配器が使用される。
【０００３】
従来の同軸ケーブル用分岐器・分配器を図７に示す。
【０００４】
筐体２にレセプタクルコネクタ７２を取り付け、電気信号を分岐あるいは分配するための回路基板１を筐体２に組み込み、そのレセプタクルコネクタ７２についているピン７３と回路基板１とをハンダ付けにて接続させ、さらに、同軸ケーブル３側にピン型のコネクタ７１を取り付け、このコネクタ７１と、筐体２側のレセプタクルコネクタ７２とを篏合させて接続していた。
【０００５】
【発明が解決しようとする課題】
しかしながら、上記の方法では、筐体２へのレセプタクルコネクタ７２の取り付け、レセプタクルコネクタ７２のピン７３の基板１へのハンダ付け、同軸ケーブル３へのコネクタ７１の取り付け等、作業工数が多くかかる。また、同軸ケーブル３へのコネクタ７１の取り付けは、作業者による作業のバラツキがあり、電気的信頼性が低い。さらに、同軸ケーブル３と回路基板１とは、コネクタ７１およびレセプタクルコネクタ７２を介しての接続のため、電気的な接触面が多く、電気的なロスが大きい。
【０００６】
本発明の目的は、上記従来の問題点に鑑みてなされたものであり、分岐器・分配器へ同軸ケーブルを取り付ける際の作業工数の軽減と、接続部で接触不良を起こしたり断線したりすることのない信頼性の高い分岐器・分配器を提供することにある。
【０００７】
【課題を解決するための手段】
本発明に係る同軸ケーブル用分岐器・分配器は、内部導体と、該内部導体を被覆する絶縁体と、該絶縁体を被覆する編組からなる外部導体と、該外部導体を被覆するシースとから構成される複数本の同軸ケーブルが、接続部材を用いて筐体に支持固定され、一方の同軸ケーブルから送られてきた電気信号を他方の同軸ケーブルへ分岐あるいは分配する回路基板が前記筐体の内部に収容され、前記同軸ケーブルの内部導体と回路基板とがコネクタを介さず直接電気的に接続されている同軸ケーブル用分岐器・分配器において、
前記接続部材は、導電性の材質からなり、前記同軸ケーブルの外部導体と電気的に接続するための薄肉部と、前記筐体の壁面と当接する鍔部と、前記回路基板のアースと電気的に接続するための突起とを有しており、前記同軸ケーブルの外部導体の端部が前記薄肉部の外周を覆い被し、圧着スリーブが前記薄肉部と連係して前記外部導体を固定すると共に、前記同軸ケーブルの内部導体と絶縁体とが前記接続部材の内部を貫通する構造を有する接続子であるものである。
【０００９】
【発明の実施の形態】
本発明の同軸ケーブル用分岐器・分配器の一実施例を図１から図６を用いて説明する。
【００１０】
図２は本発明の同軸ケーブル用分岐器・分配器の外観図である。
【００１１】
筐体２に同軸ケーブル（図示せず）を支持固定するための接続部材としての接続子４が接続された状態を示している。筐体２は、図３に示すような、側面に複数個（図３の場合は４つ）の孔３１が設けられて、上面が開口した箱形の構造をしている。
【００１２】
図２においては、前記孔３１に接続子４が取り付けられ、この筐体２の内部に、同軸ケーブル（図示せず）から送られてきた電気信号を他の同軸ケーブルへ分岐あるいは分配するための回路基板（図示せず）が組み入れられて、蓋がされた状態を示している。
【００１３】
図４は、本発明の同軸ケーブル用分岐器・分配器に係わる接続子の構成図である。
【００１４】
接続子本体２１は、材質が黄銅からなり、その内部を中空とした略円筒状に形成されている。接続子本体２１の図面左側の外周には、筐体２（図１）の壁面と当接する鍔部２２を有し、この鍔部２２は、後述する六角ナット２８と連係して筐体２の壁面を挟み、筐体２に接続子本体２１を固定する作用を果たすものである。接続子本体２１の筐体側（図面左側）先端は、回路基板１（図５）のアースへ接続するための突起２３が２つ形成されている。接続子本体２１の同軸ケーブル側（図面右側）先端は、後述する同軸ケーブルの外部導体６４（図１）と電気的に接続するための薄肉部２５が形成されている。薄肉部２５は、同軸ケーブル抜けを防ぐために、その外周面にローレット加工が施されている。鍔部２２と薄肉部２５との間には螺旋溝２６が切られている。筐体２への接続子本体２１の取り付けは、筐体２の孔３１へ薄肉部２５を先端にして筐体２の内側から接続子本体２１を挿入することにより行う。この時、接続子本体２１が回転しないように、筐体２の孔３１の直線部３２に合わせて六角ナット取付部２４にＨカット部２４ａが施されている。筐体２の孔３１へ接続子本体２１を挿入した後、接続子本体２１の薄肉部２５側から歯付座金２７および六角ナット２８が通される。接続子本体２１に形成された螺旋溝２６に六角ナット２８を螺合させ締め付けることにより、筐体２に接続子本体２１が固定される。圧着スリーブ２９は、接続子本体２１に形成された薄肉部２５と連係して同軸ケーブルの外部導体６４（図１）を挟み込み固定するためのものである。
【００１５】
次に図１および図５を用いて、同軸ケーブル用分岐器・分配器と同軸ケーブルの接続を説明する。
【００１６】
図１は、本発明の同軸ケーブル用分岐器・分配器と同軸ケーブルを接続した垂直面の一部拡大部分断面図である。
【００１７】
図５は、本発明の同軸ケーブル用分岐器・分配器と同軸ケーブルを接続した水平面の一部拡大図である。
【００１８】
接続子本体２１は、上述したように、螺旋溝２６に螺合された六角ナット２８を締め付けることにより、筐体２に固定されている。鍔部２２に当接された筐体２の壁面は、歯付座金２７を介して六角ナット２８により挟め込まれている。
【００１９】
筐体２内に回路基板１を設置した後、段剥ぎした同軸ケーブル３の先端が接続子本体２１内に挿入される。この回路基板１は、同軸ケーブル３から送られてきた電気信号を他の同軸ケーブルへ分岐あるいは分配するためのものである。
【００２０】
同軸ケーブル３は、図６に示された構成を有している。すなわち、同軸ケーブル３は、中心に単線によって構成された内部導体６１と、内部導体６１の周上を被覆する絶縁体６２と、絶縁体６２の周上を巻回するアルミテープ６３と、アルミテープ６３の周上を被覆する編組からなる外部導体６４と、外部導体６４の周上を被覆するシース６５とから構成されている。例えば、内部導体６１は、軟銅線によって構成された充実形の構造をしており、絶縁体６２は、ＰＥ（ポリエチレン）樹脂、シース６５は、ＰＶＣ（ポリ塩化ビニル）の材質からなる。
【００２１】
同軸ケーブル３の内部導体６１は、図１に示すように、絶縁体６２により接続子本体２１とは電気的に絶縁された状態で回路基板１ヘはんだ付け接続される。同軸ケーブル３の外部導体６４の端部は、接続子本体２１に形成された薄肉部２５の外周を覆い被すようにして設置され、予め図５のように同軸ケーブル３に嵌挿させておいた圧着スリーブ２７を薄肉部２５上へ移動させ、圧着スリーブ２７を圧着スリーブかしめ工具（図示せず）にて外側からかしめることによって、外部導体６４と接続子本体２１を電気的に接続させる。これと同時に、同軸ケーブル３は、接続子本体２１に固定される。接続子本体２１に形成された突起２３は、図５に示すように、回路基板１のアースへはんだ付け接続される。
【００２２】
【発明の効果】
本発明によれば、同軸ケーブルへのコネクタ取り付けという作業が無く、作業者による電気的なバラツキも無くなる。さらに、同軸ケーブルの内部導体を、直接分岐器・分配器内の基板と接続するため、接続部での接触不良や断線を防ぎ、安定した分岐器・分配器を提供できる。
【図面の簡単な説明】
【図１】本発明の同軸ケーブル用分岐器・分配器と同軸ケーブルを接続した垂直面の一部拡大部分断面図である。
【図２】本発明の同軸ケーブル用分岐器・分配器の外観図である。
【図３】本発明の同軸ケーブル用分岐器・分配器に係わる接続子の構成図である。
【図４】同軸ケーブル用分岐器・分配器の筐体を説明するための斜視図である。
【図５】本発明の同軸ケーブル用分岐器・分配器と同軸ケーブルを接続した水平面の一部拡大図である。
【図６】同軸ケーブルの構成を説明するための図である。
【図７】従来の同軸ケーブル用分岐器・分配器の全体斜視図である。
【符号の説明】
１  回路基板
２  筐体
３  同軸ケーブル
４  接続子
２１  接続子本体
２２  鍔部
２３  突起
２４  六角ナット取付部
２４ａ  Ｈカット部
２５  薄肉部
２６  螺旋溝
２７  歯付座金
２８  六角ナット
２９  圧着スリーブ
３１  孔
３２  直線部
６１  内部導体
６２  絶縁体
６３  アルミテープ
６４  外部導体
６５  シース
７１  コネクタ
７２  レセプタクルコネクタ
７３  ピン
【図１】
0003578877.tif 000002
【図２】
0003578877.tif 000003
【図３】
0003578877.tif 000004
【図４】
0003578877.tif 000005
【図５】
0003578877.tif 000006
【図６】
0003578877.tif 000007
【図７】
0003578877.tif 000008